(57)【特許請求の範囲】
【請求項１】
スラブコンクリート中に埋設状態にあるインサートの雌ネジ孔に挿入される挿入部と、これに連続する所定の長さの竿部とから成っており、挿入部は、突端円柱部とその側面から突設された複数の係合片とから成り、少なくとも竿部の表面は決められた一定の色により色表示されており、且つ竿部には所定の間隔で目盛表示が行われていることを特徴とするインサートのマスキング材。
【発明の詳細な説明】
【０００１】
【発明の属する技術分野】
本発明は、天井などのコンクリートに埋設されるインサートの雌ネジ孔を塞ぐのに利用されるマスキング材に関する。
【０００２】
【従来の技術】
従来、天井や壁などに塗料や表面被覆材などを塗設する際に、塗料や表面被覆材などが侵入してはならない開口部などを予め塞ぐために各種のマスキング材が利用されている。このようなマスキング材としては、例えば実開昭６０−７４７７７号、実開昭６４−８９７７号、実開平１−１４８７５９号、実開平４−９９２５２号公報などに記載のものが知られている。
【０００３】
尚、天井などのコンクリートに埋設されるインサートの雌ネジ孔をマスキングするには、割り箸などを雌ネジ孔に挿入しておくことが広く行われている。
【０００４】
【発明が解決しようとする課題】
上記した割り箸などによるインサートの雌ネジ孔のマスキングでは、雌ネジ孔が断面円形であるのに対し割り箸の断面が方形であることから、塗料や表面被覆材などを所謂ガン吹きの方法で塗設する場合、塗料などがスプレー状に噴射されるので、雌ネジ孔に塗料などが侵入するのを完全には防止することができないので、配管用の吊り金具のボルトをインサートの雌ネジに係合しようとする際に雌ネジに塗料などが付着していてボルトの装着にてこずることがある。割り箸の先をカッターなどで丸く削ってから装着すれば、このような事態は避けることが可能であるが、極めて煩雑であり作業能率が著しく低下する。
【０００５】
また、インサートの配設では、少なくともその露出部を着色表示することで電気、電話、水道、冷暖房などの配管の種別を区別することが行われるが、塗料などをガン吹きした場合には、着色表示部分までもが塗料などで被覆されてしまうので、その後に行われる配管作業に支障をきたすことになる。前記した割り箸などによるマスキングでは塗料などによる着色表示部分の被覆を防止することができない。
【０００６】
更に、表面被覆材の種類によってはインサートの周囲を一定の厚みで塗設しなければならないが、上記した従来のマスキングの手法では、塗設部分に吊りボルトの直径に対応した開口を形成することができないだけでなく、どの程度の厚みで塗設が行われたのか知ることができない、という難点があった。
【０００７】
本発明は、上記した要請を満足させることができるインサートのマスキング材を明らかにすることを目的とするものである。
【０００８】
【課題を解決するための手段】
本発明に係るインサートのマスキング材は、スラブコンクリート中に埋設状態にあるインサートの雌ネジ孔に挿入される挿入部と、これに連続する所定の長さの竿部とから成っており、挿入部は、突端円柱部とその側面から突設された複数の係合片とから成り、少なくとも竿部の表面は決められた一定の色により色表示されており、且つ竿部には所定の間隔で目盛表示が行われていること、を特徴とする。
【０００９】
【発明の実施の形態】
次に、本発明に係るインサートのマスキング材の詳細を添付の図面に従って説明する。
【００１０】
図１には、本発明に係るマスキング材１０が示されている。このマスキング材１０は、突端円柱部１１の側部に係合片１２が突設されている挿入部１３と、突端円柱部１１の基端から例えば１５度のテーパーを介して連続する断面円形の竿部１４とで構成される。そして、竿部１４には、例えば２０ｍｍ程度の間隔で膨出部が環状に設けられており、塗設した表面被覆材などの厚みを目視するための目盛表示１５が設けられている。目盛の間隔は２０ｍｍに限定されるものではない。目盛表示１５は、挿入部１３から順に１本線、２本線、・・・ｎ本線のように外形形状から判断し得る構成とするか、或いは数字で表示する構成とすることが好ましい。
【００１１】
挿入部１３の外形寸法は、インサートの雌ネジ孔の内径に対応しており、また竿部１４の外形寸法は、インサートに取り付ける吊りボルトの外形寸法に対応している。
【００１２】
突端円柱部１１の側部に突設される係合片１２は、突端円柱部１１をインサートの雌ネジ孔に挿入したときに、この係合片１２と雌ネジとが係合することによってマスキング材の支持が行われるためのものである。従って、係合片１２は、雄ネジの螺旋に対応しているものであることも好ましいが、図示の如く、所定の間隔で配列された凸状片であってよい。このような態様では、突端円柱部１１を回転させながらインサートの雌ネジ孔に挿入するのではなく、下から圧入する操作となる。圧入により係合片１２は変形しながら雌ネジ孔に挿入され、係合片１２の各先端は雌ネジの谷に圧接することになる。
【００１３】
また、竿部１４の少なくとも表面には彩色が行われている。マスキング材１０全体が合成樹脂で形成される場合には、樹脂材に着色料を混合するすることによって、例えば、白色・赤色・青色・黄色・緑色・黒色など異なった色のマスキング材１０を成形するすることができる。全てを黒色或いは白色などで成形し、その表面に塗料を吹き付けて色分けする態様も本発明に包含される。
【００１４】
次に、図２に従って、本発明に係るインサートのマスキング材の使用方法を説明する。インサート２０はスラブコンクリート２１に埋設されており、その雌ネジ孔に本発明に係るインサートのマスキング材１０の挿入部１３を圧入する。すると突端円柱部１１の側部に配置されている係合片１２は雌ネジの山と谷に沿って変形しながら進み、突端円柱部１１の基部に連続するテーパー部がインサート２０の端部に圧接した段階で挿入が阻止される。この状態で、インサート２０の雌ネジ孔を含む下端部はマスキング材１０により被覆された状態となっており、塗料或いは表面被覆材などの被覆材の所謂ガン吹きによる塗設が可能となる。塗設厚みは、マスキング材１０の竿部１４に設けられている目盛表示１５により知ることができる。
【００１５】
塗料などのガン吹きが行われた段階では依然としてマスキング材１０はインサート２０に取り付けたまゝの状態におかれる。これは、マスキング材１０の色により取り付けるべき配管の種類を識別させるためである。
【００１６】
配管用の吊り下げ金具の取り付けは、上記したマスキング材１０の色に従って選択して行われる。即ち、電気用の配管を取り付けるには、例えば赤色のマスキング材１０で示されるルートに従って順次行われる。配管の固定作業では、先ずマスキング材１０をインサート２０から取り外すことから行われる。マスキング材１０の取り外しは、竿部１４を握持して下方に引抜くだけでよい。係合片１２がインサート２０の雌ネジに螺旋状に係合している態様では、竿部１４を握持して回転させる操作が行われる。図２のＢに示す如く、マスキング材１０を取り外すと、ガン吹きによる被覆材の中に吊り下げボルトが通過できる透孔が形成される。従って、この透孔に沿って吊り下げボルトを差し込めば、インサート２０の雌ネジ孔に容易に達することができ、吊り下げボルトを回転することにより、インサート２０に強固に固定することができる。吊り下げボルトの固定が完了したら、図示しないバンド部材により配管の固定が行われ、続いて、色により選択された次の位置のマスキング材１０の位置で同様の作業が行われる。
【００１７】
【発明の効果】
本発明に係るインサートのマスキング材によれば、突端円柱部部分をインサートの雌ネジ孔に圧入するだけで簡単に取り付けることができ、取り付けた状態で、インサートの雌ネジ孔がガン吹きによる被覆材の塗設によって閉塞されるのを防ぐことができ、マスキング材の色分けにより配設すべき配管の種類を特定することができるので、頭記した通りの課題が解決されることとなる。また、必要に応じて、被覆材の塗設厚みをマスキング材の目盛表示により知ることができるだけでなく、塗設時の厚みの目安にもすることができる。
【図面の簡単な説明】
【図１】本発明のマスキング材の実施例を示す斜視図
【図２】使用状態を示す一部断面図
【符号の説明】
１０−マスキング材
１１−突端円柱部
１２−係合片
１３−挿入部
１４−竿部
１５−目盛表示
２０−インサート
２１−スラブコンクリート
【図１】
0003729569.tif 000002
【図２】
0003729569.tif 000003